(57)【要約】【課題】本発明は、ダムに堆積した流木や、或いは川縁や海岸に打ち上げられた木材廃材を迅速且つ大量に木炭化できる木炭窯を提供することにある。【解決手段】窯本体１は、燃焼部２を低所側に、そして、煙突３を高所側にそれぞれ位置するように、当該窯本体１内の内部空間Ｓと材料置き場５とを傾斜状に備えていることを特徴とする木炭窯。【選択図】図１
2004285081.tif 000002
【特許請求の範囲】
【請求項１】
窯本体（１）は、燃焼部（２）を低所側に、そして、煙突（３）を高所側にそれぞれ位置するように、当該窯本体（１）内の内部空間（Ｓ）と材料置き場（５）とを傾斜状に備えていることを特徴とする木炭窯。
【請求項２】
窯本体（１）の外壁（６）の一方向に沿って、間隔をあけた複数の箇所にそれぞれ燃焼部（２）を備え、さらに、前記窯本体（１）の内部には、各燃焼部（２）からの直火を避けるように２枚の内壁（４，４）をそれぞれ起立して、当該各内壁（４，４）間に材料置き場（５）を設け、
前記窯本体（１）は、各燃焼部（２）を低所側に、そして、煙突（３）を高所側にそれぞれ位置するように、窯本体（１）内の内部空間（Ｓ）と材料置き場（５）とを傾斜状に備えていることを特徴とする木炭窯。
【請求項３】
前記各内壁（４，４）には、スリット（１０）が設けてあることを特徴とする請求項２記載の木炭窯。
【請求項４】
前記材料置き場（５）は、各燃焼部（２）による燃焼可能範囲毎にその領域を隔離できる遮断壁（７）が、各内壁（４，４）間においてそれぞれが開閉可能に設けてあることを特徴とする請求項２又は３記載の木炭窯。
【請求項５】
前記各内壁（４，４）は、その上端部（１３，１３）がそれぞれ内向きに屈曲していることを特徴とする請求項２、３又は４記載の木炭窯。
【請求項６】
前記窯本体（１）の外壁（６）のうち、煙突（３）の近傍箇所には、当該窯本体（１）の内部空間（Ｓ）への送風部（１５）を設けていることを特徴とする請求項２、３、４又は５記載の木炭窯。
【発明の詳細な説明】
【０００１】
【発明の属する技術分野】
本発明はおもに、ダムの貯水域に堆積する流木や、或いは、川縁や海岸に打ち上げられる木材廃材などから木炭を製造するための木炭窯に関するものである。
【０００２】
【従来の技術】
例えば、山林からダムの貯水域に流れ着いて堆積した流木や、或いは河川工事によって発生する木材の切れ端等の残材、または、川縁や海岸に打ち上げられる流木等の処理については、現在のところ、各者が手をこまねいている状態にあり、通常は、大型の焼却炉によって焼却処分がなされるか、あるいは、個人又は法人が管理する所定の場所に廃棄されるものであった。しかしながら、近年の省エネルギー化志向の現状を鑑みて、これらの木材廃材を再利用する方法が模索されており、例えば、木炭窯に木材廃材を入れて、木炭を形成し、この木炭を建築材料や、或いは、浄水フィルタ等に利用すること等が検討されている。
【０００３】
【発明が解決しようする課題】
しかしながら一般的に使用されている木炭窯にあっては、その処理能力の面で難があり、ダムの貯水域に堆積した大量の流木等から効率よく木炭を製造することが難しく、このことから、流木等の木材廃材を効率良く処理し、尚且つ大量の木炭を製造できる木炭窯の登場が待たれていた。
【０００４】
本発明は、ダムに堆積した流木や、或いは川縁や海岸に打ち上げられた木材廃材を迅速且つ大量に木炭化できる木炭窯を提供することにある。
【０００５】
【課題を解決するための手段】
本発明のうち請求項１記載の発明では、窯本体は、燃焼部を低所側に、そして、煙突を高所側にそれぞれ位置するように、当該窯本体内の内部空間と材料置き場とを傾斜状に備えていることを特徴とするものである。また本発明は、請求項２のように、窯本体の一方向に沿って間隔を開けて複数の燃焼部を備え、さらに、前記窯本体の内部には、各燃焼部からの直火を避けるように２枚の内壁をそれぞれ起立して、当該各内壁間に材料置き場を設けた木炭窯についても適用できる。
【０００６】
ここで窯本体の傾斜角度は、特に限定するものではないが、望ましくは４５°に設定されればよい。また燃焼部とは、窯本体の内部に投入された材料を炭化可能な温度で燃焼できる手段の全てを意味するものであり、具体的には、薪や重油を主燃料とした燃焼装置が使用される。また傾斜状とは、窯本体内の空間が少なくとも垂直及び水平方向以外の方向に延在するように構成したものを意味し、例えば、窯本体を山の斜面等に設置したり、あるいは、窯本体を傾斜面を備える人工的な土台の上に載せたものでもよい。さらに、請求項２のように燃焼部を窯本体の外壁の複数箇所に設置する場合は、その配置パターンを特に限定するものではなく、例えば、窯本体外壁の片側にのみ備えてもよいし、或いは本実施形態に示すもののように、窯本体の低所側、及び当該窯本体の両側の外壁に備えてもよい。
【０００７】
このように形成すると、窯本体の内部空間と材料置き場とを斜めに傾けた状態に形成してあることで、窯本体の低所側の燃焼部で起こされた炎による熱風が、確実に該窯本体内の高所側に投入された材料にまで行き届くので、窯本体内の熱効率が飛躍的に高まり、結果、該窯本体内に投入された大量の材料を速やかに木炭と化すことができる。
【０００８】
本発明のうち請求項３記載の発明は、前記各内壁には、スリットが設けてあるので、前記スリットでは燃焼部から熱風のみが通過し、内壁に囲まれた材料置き場において、前記熱風の流入によって低所側から高所側に向けて空気が流れることとなり、結果、材料の燃焼が一層効率良く行なえる。
ここで、スリットについては、燃焼部からの炎が材料置き場に入り込まない程度のものであれば、特にその大きさや数については限定しない。
【０００９】
本発明のうち請求項４記載の発明は、前記材料置き場は、各燃焼部による燃焼可能範囲毎にその領域を隔離できる遮断壁が、各内壁間にそれぞれ開閉可能な状態で設けてあるので、例えば、材料置き場のうち、仮に低所側に置かれた材料が炭化済みとなった場合に、未だ炭化されていない高所側の領域にある材料のみを炭化でき、これにより燃焼効率を一層高めることができる。
【００１０】
ここで、遮断壁の開閉方法については、例えば、後述する本実施形態のものであれば、遮断壁をワイヤロープで吊し、窯本体の外から遠隔操作可能な巻上げドラムを使用して上げ下げするものが使用されており、その手段を特に限定するものではない。
【００１１】
本発明のうち請求項５記載の発明では、前記各内壁は、その上端部がそれぞれ内向きに屈曲しているので、材料置き場において暖められた空気が上方に逃げにくくなり、材料燃焼時の保温効果が長時間持続される。
【００１２】
本発明のうち請求項６記載の発明は、前記窯本体の外壁のうち、煙突の近傍箇所には、当該窯本体の内部空間への送風部を設けているので、木材廃材の炭化後、前記内部空間の低所側から高所側に向かう一定の空気の流れを形成し、窯本体内に滞留した煙を円滑に煙突から排出できる。
ここで送風部としては、単に外壁を貫通して外と内部空間とが通じる孔のようなものであってもよいが、望ましくは、煙突側に向かうように貫通しているものがよい。
【００１３】
【発明の実施の形態】
本発明の木炭窯の実施形態を以下に説明する。
本木炭窯の具体的な構造は図１に示すように、傾斜角度が約４５°をなす山の斜面Ｇに設置され且つ当該斜面Ｇにおける低所側から高所側に向けて延在する長手状に形成した内部空間Ｓを有する窯本体１と、該窯本体１の低所側及び外壁６の両側位置に長手方向に沿って間隔をあけて設置してある計５カ所（一部図示省略。）の各燃焼部２と、窯本体１の高所側において立ち上がる煙突３と、からなっている。
【００１４】
また、前記窯本体１内の構造は図２のように、断面半円形状をなす外壁６により囲まれた内部空間Ｓの底位置側に、左右に間隔をあけて起立する２枚の内壁４，４が、窯本体１の長手方向に沿ってそれぞれ連続して設けてあり、また、この各内壁４，４は、図示はしないがコンクリート壁の表面全体に耐火レンガを固着している。さらに、前記各内壁４，４については、内壁４，４の厚み方向を貫通する細幅のスリット１０が多数設けてあり、このスリット１０は燃焼部２からの材料置き場５への直接的な炎の入り込みを遮り、前記炎による熱風のみを該材料置き場５側に受け入れるので、材料置き場５上の各内壁４，４に隔てられた空間において、低所側から高所側への空気の流れが発生し、この結果、材料１１炭化時の燃焼効率が向上する。また、窯本体１外壁６の天部には、各燃焼部２の設置個所と対応して蓋付きの材料投入口８，８，８がそれぞれに設けてあり、当該各材料投入口８，８，８から材料置き場５に材料１１を供給できる。
尚、前記材料置き場５は、窯本体１底面の傾斜面に対して、フラットとなるように段差状をなし、これにより、窯本体１内に投入した材料１１の滑り落ちを防止している。
【００１５】
また、前記各内壁４，４の上端部１３，１３は、それぞれが内向きに対向して屈曲し、これによって、燃焼部２からの熱風によって暖められた材料置き場５の空気による高所側への熱の逃げが格段に減少し、該材料置き場５における燃焼効率がより一層高まることになる。さらに、各内壁４，４間には、当該各内壁４，４の長手方向に沿って、材料置き場５を等間隔に隔てる遮断壁７が計２カ所に設けてあり、この遮断壁７は、窯本体１の外側から遠隔操作によって、巻き上げドラム９により巻き取り可能なワイヤロープ１２を用いて、窯本体１内の対応位置に設けてある各ガイド壁１４，１４に沿って、作業者による自在な上げ下げを可能としており、これにより、各燃焼部２による燃焼範囲において、各内壁４，４間に隔てられた材料置き場５上の空間を区切ることができ、この結果、遮断された材料置き場５の各領域において、個別に材料１１の炭化が行なえるので、窯本体１内の燃焼効率が一層高まることとなる。
【００１６】
次に図３（ａ）（ｂ）に示すものは、本実施形態の木炭窯の一使用例を説明するものであり、まず、斜面Ｇの低所側から高所側に向けて延長した材料置き場５の最も低所側の領域において、そこに投入された材料１１の炭化が済んだ場合に、前記領域に対応した最も低所側に位置する遮断壁７を下ろし、さらに、その領域にある材料１１の炭化を行なっている燃焼部２の作動を停止する。次いで、作動中の他の各燃焼部２においても、それぞれの領域に投入された材料１１の炭化が終われば、前記各領域に対応する各遮断壁７，７を下方側から順に下ろしていく。これにより、材料置き場５における各燃焼部２の炎が及ぶ各領域をそれぞれ隔離して、小さなスペース内で材料１１の炭化が行えることで、投入された材料１１の燃焼コストの削減と効率的な材料１１の炭化とが確実に図れる構成となっている。
【００１７】
さらに、窯本体１の煙突３側の外壁６の一部には、送風部１５が設けてあり、この送風部１５は、外壁６の低所側から高所側に向けて斜め方向に貫通する孔であり、さらに、この孔は送風機（図示は省略。）と通じるものである。これによって、窯本体１外の空気を内部空間Ｓに取り入れて、当該窯本体１内の空気が低所側から煙突３側に向けて流れるように促す手段となっている。しかも、窯本体１と煙突３との連結箇所の底面はテーパ面１６をなしており、このように形成するのは、窯本体１の内部空間Ｓにおいて木材廃材の炭化に伴う、燃焼煙の排出を円滑に行うためであり、これにより、窯本体１の一層の燃焼効率の向上が可能となる。
【００１８】
【発明の効果】
本発明のうち請求項１及び２記載の発明によれば、窯本体内の内部空間、及び材料置き場が傾いた状態にあることで、燃焼部で起こされた熱が窯本体の内部空間の低所側から高所側に向けて確実に行き渡り、この結果、投入された材料の炭化が効率良く行われ、該材料を迅速に木炭と化すことができ、木材廃材の速やかな処理と該廃材の再利用をはかることができる。
【００１９】
本発明のうち請求項３記載の発明によれば、材料に直接炎が当たるのを防ぎ、さらに、その熱風のみを材料置き場側へ受け入れることができるので、材料の炭化が一層効率良く行われ、木炭の大量生産を可能とする。
【００２０】
本発明のうち請求項４記載の発明によれば、例えば、請求項２に記載した形態の木炭窯で材料を炭化した場合、各燃焼部において効率よく材料の炭化が行われ、結果、木炭をより効率良く作ることができる。
【００２１】
本発明のうち請求項５記載の発明によれば、材料置き場内の熱が保たれ、結果、流木や切れ端が迅速に木炭と化し、一層木炭の生産サイクルを早めることができる。
【００２２】
本発明のうち請求項６記載の発明によれば、窯本体の内部空間において煙突側に向かう空気の流れを形成するので、木材廃材炭化後のガスを円滑に排出でき、この結果、燃焼効率が飛躍的に向上することとなる。
【００２３】
また、本木炭窯によって出来上がった木炭は、良質の木炭としてそのまま使用できるのは勿論、例えば、水源地や河川の水質の浄化剤や、土壌改質剤、酸化防止剤、或いは消臭剤として幅広く利用できる。
【図面の簡単な説明】
【図１】本発明の木炭窯の全体構成を示す側面図である。
【図２】図１のＡ−Ａ線を縦断面し、さらに拡大して示す説明図である。
【図３】（ａ）（ｂ）本発明の木炭窯の使用例を示す説明図である。
【図４】図３（ａ）中Ｂを拡大して示す説明図である。
【符号の説明】
１  窯本体
２  燃焼部
３  煙突
４  内壁
５  材料置き場
６  外壁
７  遮断壁
１０  スリット
１３  上端部
１５  送風部
Ｇ  斜面
Ｓ  内部空間
【図１】
2004285081.tif 000003
【図２】
2004285081.tif 000004
【図３】
2004285081.tif 000005
【図４】
2004285081.tif 000006